(57)【特許請求の範囲】
【請求項１】
非接触タグ等の情報を読み取る読取部と後端面にコネクタが装着される把持部を有する携帯型端末機のホルダーであって、
このホルダーを、
可撓性を有するシート材によって形成するとともに、
前記把持部に巻き付けられ端部間が着脱自在な巻き付け部と、
この巻き付け部の後端部に基端部が設けられ自由端部に着脱具を備えた一対の保持部が設けられた第１の保持片とで構成し、
前記巻き付け部に、前記一対の保持部間に前記コネクタのケーブルを通し、この一対の保持部によって前記コネクタを保持した状態で前記第１の保持片の着脱具が着脱される第１の着脱具を備えたことを特徴とする携帯型端末機のホルダー。
【請求項２】
請求項１記載の携帯型端末機のホルダーにおいて、
前記巻き付け部に基端部が設けられ自由端部に着脱具が設けられた第２の保持片と、
前記巻き付け部に、前記第２の保持片によって前記コネクタのケーブルを保持した状態で第２の保持片の着脱具が着脱される第２の着脱具と
を備えたことを特徴とする携帯型端末機のホルダー。
【発明の詳細な説明】
【０００１】
【発明の属する技術分野】
本発明は、電波の授受等によって非接触タグ等の情報を読み取り、読み取った情報をコネクタから導出された外部接続用ケーブルを介してパソコン等に送りデータの処理を行う携帯型端末機のホルダーに関する。
【０００２】
【従来の技術】
この種の携帯型端末機は、携帯して持ち運ぶときに手で把持する把持部と、データを処理するための操作部と、処理されるデータの内容を表示する表示部と、非接触タグ等の情報を読み取る読取部とが備えられている。把持部の後端面にはコネクタが着脱自在に装着され、コネクタから導出されたケーブルを介してパソコン等に携帯型端末機によって読み取った情報が送られる。
【０００３】
【発明が解決しようとする課題】
しかしながら、従来の携帯型端末機においては、端末機を携帯しながら非接触タグの情報を端末機の読取部で読み取るときに、ケーブルに引きずられることにより、端末機とケーブルとを接続しているコネクタがケーブルによって引っ張られ、このため、コネクタが外れたりコネクタの周辺部が損傷するという問題があった。
【０００４】
本発明は上記した従来の問題に鑑みなされたものであり、その目的とするところは、端末機の操作中におけるコネクタの外れやコネクタの周辺部の損傷を防止した携帯型端末機のホルダーを提供することにある。
【０００５】
【課題を解決するための手段】
この目的を達成するために、請求項１記載の発明は、非接触タグ等の情報を読み取る読取部と後端面にコネクタが装着される把持部を有する携帯型端末機のホルダーであって、このホルダーを、可撓性を有するシート材によって形成するとともに、前記把持部に巻き付けられ端部間が着脱自在な巻き付け部と、この巻き付け部の後端部に基端部が設けられ自由端部に着脱具を備えた一対の保持部が設けられた第１の保持片とで構成し、前記巻き付け部に、前記一対の保持部間に前記コネクタのケーブルを通し、この一対の保持部によって前記コネクタを保持した状態で前記第１の保持片の着脱具が着脱される第１の着脱具を備えたものである。
したがって、一対の保持部間にコネクタケーブルを通し、この一対の保持部の第１の保持片の着脱具を第１の着脱具に取り付けることにより、この第１の保持片によってコネクタが保持される。
また、請求項２記載の発明は、請求項１記載の発明において、前記巻き付け部に基端部が設けられ自由端部に着脱具が設けられた第２の保持片と、前記巻き付け部に、前記第２の保持片によって前記コネクタのケーブルを保持した状態で第２の保持片の着脱具が着脱される第２の着脱具とを備えたものである。
したがって、コネクタから導出されたケーブルは、第２の保持片によって包まれ、この第２の保持片の着脱具を巻き付け部の第２の着脱具に取り付けることにより第２の保持片で保持される。
【０００６】
【発明の実施の形態】
以下、本発明の一実施の形態を図に基づいて説明する。図１は本発明に係る携帯型端末機を示し、（ａ）は平面図、（ｂ）は側面図、（ｃ）は底面図、図２は同じく携帯型端末機の外観を示す斜視図、図３は同じくホルダーを示し、（ａ）は平面図、（ｂ）は底面図、図４は同じくホルダーを装着した状態を底面側から視た斜視図、図５は同じく使用状態を説明するためのモデル図である。
【０００７】
図１において、全体を符号１で示すものは、携帯型端末機であって、アッパーケース２とロアーケース３とによって断面が略矩形状の筺体に形成され、図１（ａ）および図２に示すように、この筺体の略左半分は幅が狭く形成され把持部５を形成している。６はアッパーケース２の表面に設けられた表示部、７は複数の操作ボタン、８は筺体の側面に設けられた電源スイッチ、９は筺体の前端部に設けられた読取部である。
【０００８】
把持部５の後端面には開口１０が設けられ、この開口１０の内側にはコネクタ１０ａが設けられており、このコネクタ１０ａには、図５に示すように給電アダプター１２から導出されたケーブル１３の先端に設けられたコネクタ１４が接続されている。１５はパソコンであって、給電アダプター１２との間をケーブル１６を介して接続され、パソコン１５および携帯型端末機１への電源の供給は、給電アダプター１２と接続されたＡＣアダプター１７を商用電源のコンセント１８に差し込むことによって行われる。
【０００９】
次に、図３に基づいて本発明の特徴であるホルダー２０を説明する。
ホルダー２０は、略長方形の巻き付け部２１と、二股状に形成された一対の保持部２２ａ，２２ａが設けられた第１の保持片２２と、一対の第２の保持片２３，２３とから構成されている。これら巻き付け部２１、第１の保持片２２、第２の保持片２３は、互いに表裏を合わすようにして縫製された２枚のシート２４，２５とからなり、シート２４は比較的摩擦係数が高く、かつ可撓性を有する材料によって形成され、シート２５は布によって形成されている。
【００１０】
同図（ａ）に示すように、巻き付け部２１のシート２４の一方の側端部には、面ファスナー２６（便宜上、格子状のハッチングが付されている）が設けられ、同図（ｂ）に示すように、シート２５の面ファスナー２６の反対側の側端部には、面ファスナー２７（便宜上、格子状のハッチングが付されている）が設けられている。第１の保持片２２の基端部は、シート２４の下部であって面ファスナー２７側に、保持部２２ａの先端部が垂下するように取り付けられ、一対の保持部２２ａ，２２ａの自由端部のシート２５側の面に着脱具２８，２８がそれぞれ固着されている。２９，２９は着脱具２８，２８が着脱自在に嵌着される着脱具であって、シート２４の下部であって面ファスナー２６側に固着されている。
【００１１】
これら着脱具２８と着脱具２９とは、図３に示すように巻き付け部２１を携帯型端末機１の把持部５に巻き付け、面ファスナー２６，２７どうしを接合して、巻き付け部２１を把持部５に装着したときに、把持部５を挟んで互いに反対側に位置付けられている。同図（ａ）に示すように、一対の第２の保持片２３，２３は、シート２５を表面側にして、着脱具３０，３０を介してシート２４に互いに平行となるように左右方向に延在して取り付けられ、自由端部には着脱具３０，３０に着脱自在な着脱具３１，３１が固着されている。これら第２の保持片２３，２３は、巻き付け部２１を把持部５に装着したときに、把持部５の側部に対応して位置付けられている。
【００１２】
次に、このような構成の携帯型端末機におけるホルダー２０の装着方法を説明する。
まず、図４に示すように、ホルダー２０の巻き付け部２１を、シート２４側を外側とするようにして、携帯型端末機１の把持部５に巻き付け、面ファスナー２６，２７どうしを接合し、ホルダー２０を把持部５に装着する。ホルダー２０の第１の保持片２２の一対の保持部２２ａ，２２ａ間にケーブル１３を通し、これら一対の保持部２２ａ，２２ａをたすき掛け状にして着脱具２８，２８を着脱具２９，２９に嵌着させ、コネクタ１４をこれら保持部２２ａ，２２ａによって保持する。ケーブル１３を第２の保持片２３，２３にケーブル１３を包むようにして、着脱具３１，３１を着脱具３０，３０に嵌着させることにより、ケーブル１３を第２の保持片２３，２３によって保持する。
【００１３】
このようにホルダー２０を携帯型端末機１の把持部５に装着した後、図５において、ホルダー２０の上から把持部５を手で把持し、携帯型端末機１を携帯して持ち運び図示を省略した多数の非接触タグの情報を携帯型端末機１の読取部９で順次読み取ることにより、その情報がパソコン１５に格納される。この読み取り作業時に、ケーブル１３を引きずり回して、ケーブル１３によってコネクタ１４が引っ張られるようなことがあっても、ケーブル１３が第２の保持片２３によってホルダー２０に保持されていることにより、コネクタ１４が携帯型端末機１から外れるのを防止できる。また、第１の保持片２２の一対の保持部２２ａ，２２ａによってコネクタが包まれるようにして保持されているので、コネクタ１４が携帯型端末機１から外れるのを防止できるとともに、コネクタ１４が保持部２２ａによって保護されるので、コネクタ１４の破損が防止される。
【００１４】
なお、本実施の形態においては、第２の保持片２３を一対設けたが、１個でもまた３個以上としてもよい。また、第１の保持片２２の一対の保持部２２ａ，２２ａをたすき掛け状にしてコネクタ１４を保持するようにしたが、コネクタ１４の外形寸法が大きい場合には、着脱具２８，２８と着脱具２９，２９との互いに対向するどうしを係合させ、一対の保持部２８ａ，２８ａが互いに平行となるようにしてコネクタ１４を保持してもよい。したがって、コネクタ１４の外形寸法の大きさが変わってもコネクタ１４を堅固に保持することができる。また、第１の保持片２２に一対の保持部２２ａ，２２ａを設けたが、一対の保持部２２ａ，２２ａを個別に設け、これら保持部２２ａ，２２ａの基端部を巻き付け部２１に取り付けてもよい。また、第１の保持片２２を鋲を介して巻き付け部２１に取り付けたが、巻き付け部２１に一体に形成してもよい。また、着脱具２８，２９，３０，３１を面ファスナーとしてもよい。
【００１５】
【発明の効果】
以上説明したように、請求項１記載の発明によれば、第１の保持片によってコネクタが保持されるので、コネクタのはずれが防止されるとともに、第１の保持片によってコネクタが保護されるので、コネクタの損傷が防止される。
【００１６】
また、請求項２記載の発明によれば、第２の保持片によってケーブルの移動が規制されるので、コネクタの外れを防止することができる。
【図面の簡単な説明】
【図１】本発明に係る携帯型端末機を示し、（ａ）は平面図、（ｂ）は側面図、（ｃ）は底面図である。
【図２】本発明に係る携帯型端末機の外観を示す斜視図である。
【図３】本発明に係る携帯型端末機のホルダーを示し、（ａ）は平面図、（ｂ）は底面図である。
【図４】本発明に係る携帯型端末機のホルダーを装着した状態を底面側から視た斜視図である。
【図５】本発明に係る携帯型端末機のホルダーの使用状態を説明するためのモデル図である。
【符号の説明】
１…携帯型端末機、５…把持部、１０ａ，１４…コネクタ、１３…ケーブル、２０…ホルダー、２１…巻き付け部、２２…第１の保持片、２２ａ…保持部、２３…第２の保持片、２４，２５…シート、２６，２７…面ファスナー、２８，２９，３０，３１…着脱具。
【図１】
0003587082.tif 000002
【図２】
0003587082.tif 000003
【図３】
0003587082.tif 000004
【図４】
0003587082.tif 000005
【図５】
0003587082.tif 000006